(57)【要約】【課題】コンクリート被り内に金物が露出することがなく、かつ、所望のコンクリート被り厚さを確実に確保することできるスペーサー構造を提案する。【解決手段】鉄筋４に固定された固定治具２と、鉄筋４のコンクリート表面側に所定のコンクリート被り厚さを確保するスペーサー３とを備えるスペーサー構造１であって、スペーサー３は、コンクリート被り厚さと同一の高さを有するスペーサー本体３１と、スペーサー本体３１の背面から突出したボルト受け部３２と、固定治具２に螺着された出代調整ボルト３３とを備えており、スペーサー本体３１は、セメント系材料により形成されており、出代調整ボルト３３の一端がボルト受け部３２に固定されている。【選択図】図２
2015200111.tif 000002
【特許請求の範囲】
【請求項１】
鉄筋に固定された固定治具と、
前記鉄筋のコンクリート表面側に所定のコンクリート被り厚さを確保するスペーサーと、を備えるスペーサー構造であって、
前記スペーサーは、
前記コンクリート被り部分に配されるスペーサー本体と、
前記スペーサー本体の背面から突出したボルト受け部と、
前記固定治具に螺着された出代調整ボルトと、を備えており、
前記スペーサー本体および前記ボルト受け部は、非金属系材料により形成されており、
前記出代調整ボルトの一端が前記ボルト受け部に固定されていて、
前記ボルト受け部の基端面が前記コンクリート被り部分に入らないことを特徴とするスペーサー構造。
【請求項２】
鉄筋に固定された固定治具と、
前記鉄筋のコンクリート表面側に所定のコンクリート被り厚さを確保するスペーサーと、を備えるスペーサー構造であって、
前記スペーサーは、
前記コンクリート被り厚さと同一の高さを有するスペーサー本体と、
前記スペーサー本体の背面から突出したボルト受け部と、
前記固定治具に螺着された出代調整ボルトと、を備えており、
前記スペーサー本体は、セメント系材料により形成されており、
前記出代調整ボルトの一端が前記ボルト受け部に固定されていることを特徴とするスペーサー構造。
【請求項３】
前記スペーサー本体の基端側に、前記鉄筋のコンクリート表面側の外面に当接可能なつば部が形成されていることを特徴とする、請求項２に記載のスペーサー構造。
【請求項４】
前記固定治具は、前記出代調整ボルトに螺合した雌ネジ部と、前記鉄筋を把持する把持部と、を有していることを特徴とする、請求項１乃至請求項３のいずれか１項に記載のスペーサー構造。
【請求項５】
前記把持部は、前記鉄筋に係止する係止部と、前記係止部の反対側から前記鉄筋に当接する固定ボルトと、を備えており、
前記係止部のコンクリート表面側の先端は、前記鉄筋の中心と当該鉄筋のコンクリート表面側の外面との間に位置していることを特徴とする、請求項４に記載のスペーサー構造。
【発明の詳細な説明】
【技術分野】
【０００１】
本発明は、スペーサー構造に関する。
【背景技術】
【０００２】
鉄筋コンクリート構造物では、鉄筋（金属）の腐食を防止するために、所定の厚さのコンクリート被りを確保する必要がある。
コンクリート被りは、コンクリート打設時に、型枠と鉄筋との間にスペーサーを介設することで、所望の距離が確保できるように設定するのが一般的である。
【０００３】
このようなスペーサーとして、例えば、特許文献１には、コンクリートまたはモルタル製のスペーサー本体部にバネ性を持つ金属板製の鉄筋挟持部が一体化されたものが開示されている。このスペーサーは、鉄筋挟持部により鉄筋に固定されることで、鉄筋から型枠までの所望のコンクリート被り厚さを確保するものである。
【０００４】
また、特許文献２には、鉄筋に取り付けられる取付治具と、取付治具に螺合された調整支柱と、調整支柱の先端に取り付けられたスペーサー本体とを備えるスペーサー構造であって、スペーサー本体の基端部に埋め込まれたナットを介してスペーサー本体と調整支柱とが固定されたものが開示されている。
【先行技術文献】
【特許文献】
【０００５】
【特許文献１】特開２００６−１６１２９６号公報
【特許文献２】特開２００５−３４４３７９号公報
【発明の概要】
【発明が解決しようとする課題】
【０００６】
特許文献１に記載のスペーサーは、スペーサーが鉄筋に固定される構成のため、鉄筋の組み立て誤差が生じた場合には、スペーサーと型枠との間に隙間が生じてしまう。
【０００７】
一方、特許文献２のスペーサー構造は、鉄筋の組み立て誤差が生じた場合に、調整支柱によりスペーサー本体を型枠に当接させることができるものの、コンクリート被り部分において、金属部材（ナット）が露出してしまう（金属部材がコンクリート被り部分に直接埋め込まれる）。コンクリート被り部分に金属が露出していると、何らかの原因により金属が腐食するおそれがある。
【０００８】
本発明は、前記の問題点を解決することを目的とするものであり、コンクリート被り内に金物が露出することがなく、かつ、所望のコンクリート被り厚さを確実に確保することできるスペーサー構造を提案することを課題とする。
【課題を解決するための手段】
【０００９】
前記課題を解決するために、第一の発明に係るスペーサー構造は、鉄筋に固定された固定治具と、前記鉄筋のコンクリート表面側に所定のコンクリート被り厚さを確保するスペーサーとを備えるものであって、前記スペーサーは、前記コンクリート被り部分に配されるスペーサー本体と、前記スペーサー本体の背面から突出したボルト受け部と、前記固定治具に螺着された出代調整ボルトとを備えており、前記スペーサー本体および前記ボルト受け部は、非金属系材料により形成されており、前記出代調整ボルトの一端が前記ボルト受け部に固定されていて、前記ボルト受け部の基端面が前記コンクリート被り部分に入らないことを特徴としている。
【００１０】
かかるスペーサー構造によれば、出代調整ボルトによりスペーサーの出代の調整が可能なため、鉄筋の組み立て誤差が生じた場合であっても、スペーサーを型枠に当接させることができる。
また、ボルト受け部の基端面（コンクリート表面と反対側の端面）がコンクリート被り部分に入らないため、金属がコンクリート被り部分において露出することがない。したがって、コンクリート被り部分において、金属が腐食することがない。
【００１１】
また、第二の発明に係るスペーサー構造は、鉄筋に固定された固定治具と、前記鉄筋のコンクリート表面側に所定のコンクリート被り厚さを確保するスペーサーとを備えるものであって、前記スペーサーは、前記コンクリート被り厚さと同一の高さを有するスペーサー本体と、前記スペーサー本体の背面から突出したボルト受け部と、前記固定治具に螺着された出代調整ボルトとを備えており、前記スペーサー本体は、セメント系材料により形成されており、前記出代調整ボルトの一端が前記ボルト受け部に固定されていることを特徴としている。
【００１２】
かかるスペーサー構造によれば、鉄筋のコンクリート表面側にスペーサー本体を位置させるだけでコンクリート被り厚さを確保することができる。したがって、スペーサー本体が定規的な役割を果たし、作業性に優れている。また、スペーサー本体内には、金物が存在しないため、コンクリート被り内に異物が存在することもなく、したがって、コンクリート構造物の品質を高めることが可能である。
【００１３】
前記スペーサー本体の基端側に、前記鉄筋のコンクリート表面側の外面に当接可能なつば部を形成するとよい。このようにすると、つば部を鉄筋に当接させるのみで、所定のコンクリート被り厚さを確保することが可能となる。
【００１４】
前記固定治具は、前記出代調整ボルトに螺合した雌ネジ部と、前記鉄筋を把持する把持部とを有したものであるのが望ましい。
【００１５】
さらに、前記把持部が、前記鉄筋に係止する係止部と前記係止部の反対側から前記鉄筋に当接する固定ボルトとを備えており、前記係止部のコンクリート表面側の先端は、前記鉄筋の中心と当該鉄筋のコンクリート表面側の外面との間に位置していれば、コンクリート被り内に金物が配設されることがない。
【発明の効果】
【００１６】
本発明のスペーサー構造によれば、コンクリート被り内に金物が露出することがなく、かつ、所定のコンクリート被り厚さを確実に確保することでき、なおかつ、施工時の手間を低減することが可能となる。
【図面の簡単な説明】
【００１７】
【図１】（ａ）および（ｂ）は第一の実施形態に係るスペーサー構造を示す斜視図である。
【図２】図１に示すスペーサー構造の側面図である。
【図３】図２のＡ−Ａ矢視図である。
【図４】（ａ）および（ｂ）は第一の実施形態の固定治具を示す斜視図である。
【図５】（ａ）および（ｂ）は第二の実施形態に係るスペーサー構造を示す斜視図である。
【図６】第二の実施形態の固定治具を示す図であって、（ａ）は平面図、（ｂ）は（ａ）のＢ−Ｂ矢視図である。
【発明を実施するための形態】
【００１８】
＜第一の実施形態＞
第一の実施係他に係るスペーサー構造１は、図１に示すように、鉄筋４に固定された固定治具２と、固定治具２に取り付けられたスペーサー３とを備えている。
【００１９】
スペーサー３は、鉄筋４のコンクリート表面側に所定のコンクリート被り厚さを確保するための部材であって、図２に示すように、スペーサー本体３１とボルト受け部３２と出代調整ボルト３３とを備えている。
【００２０】
スペーサー本体３１は、鉄筋４よりもコンクリート表面側に配設される部分であって、円柱状に形成されている。また、スペーサー本体３１は、セメント系材料からなり、内部に金物が含まれないように形成されている。さらに、スペーサー本体３１は、先端から基端までの距離（高さ）が、設計コンクリート被り厚さ（基準値）と同一となるように形成されている。
【００２１】
スペーサー本体３１の基端部には、スカート状に拡径されたつば部３４が形成されている。
つば部３４の基端面の半径は、ボルト受け部３２の半径に鉄筋４の半径を加えた長さ以上となっている。
【００２２】
なお、スペーサー本体３１の形状は限定されるものではない。
また、スペーサー本体３１を構成するセメント系材料は限定されるものではなく、例えば、コンクリートやモルタルを使用すればよい。
【００２３】
ボルト受け部３２は、セメント系材料からなり、スペーサー本体３１の基端面に一体に形成されている。ボルト受け部３２は、スペーサー本体３１の基端面（背面）から突出した状態で、円柱状に形成されている。
ボルト受け部３２には、出代調整ボルト３３の一端が埋め込まれている。
【００２４】
出代調整ボルト３３は、いわゆる寸切りボルト（全ネジ）により構成されている。
出代調整ボルト３３は、ボルト受け部３２からスペーサー本体３１の後方（スペーサー本体３１の先端と反対方向）に向かって延出し、固定治具２に螺着されている。
【００２５】
出代調整ボルト３３の一端は、ボルト受け部３２の内部に納まった状態でボルト受け部３２に固定されている。つまり、出代調整ボルト３３は、スペーサー本体３１の基端面よりも後方に位置しており、スペーサー本体３１内に挿入されていない。
【００２６】
本実施形態では、出代調整ボルト３３の一端部（ボルト受け部３２に埋め込まれた部分）の外面に、複数の定着部材３６，３６，…が形成されている。
【００２７】
本実施形態の定着部材３６は、羽根状の部材からなり、出代調整ボルト３３の外面に突設されている。
なお、定着部材３６は必要に応じて形成すればよく、必ずしも形成されている必要はない。また、定着部材３６の形状や配置は限定されない。
【００２８】
固定治具２は、スペーサー３を鉄筋４に固定するための治具である。
本実施形態の固定治具２は、図２および図３に示すように、治具本体２０と、治具本体２０に取り付けられた固定ボルト２１とを有している。
【００２９】
治具本体２０は、図４（ａ）および（ｂ）に示すように、一対の側板２２，２２と、側板２２，２２の一端に横架された横板２３と、側板２２，２２の他端側の背面に横架された縦板２４とにより、正面視で口字状に形成されている（図３参照）。
本実施形態では、一枚の鋼板をプレス加工することにより治具本体２０が形成されているが、治具本体２０は、複数の鋼板を接合することにより形成してもよい。
【００３０】
一対の側板２２，２２は、図３に示すように、間隔をあけて横板２３を挟んで対向している。
本実施形態では、門型に折り曲げることにより、側板２２，２２と横板２３を形成している。
【００３１】
一対の側板２２，２２の間隔は、ボルト受け部３２の外径よりも大きい。つまり、治具本体２０は、一対の側板２２，２２の間にボルト受け部３２を挿入することが可能な形状を有している。
なお、一対の側板２２，２２の間隔の大きさは、縦板２４のコンクリート表面側において一対の側板２２，２２の間にボルト受け部３２を挿入することができればよく、側板２２の全長（全高）にわたってボルト受け部３２の外径よりも大きくする必要はない。
【００３２】
側板２２は、図４に示すように、コンクリート表面側に開口する凹部２５が形成されていることにより側面視コ字状に形成されている。
凹部２５は、鉄筋４を挿入することが可能な形状を有している。凹部２５には、係止部２６が形成されている。
【００３３】
係止部２６は、横板２３と対向する位置に形成されており、鉄筋４に係止される。
係止部２６には、係止溝２６ａが形成されている。係止部２６は、図２に示すように、係止溝２６ａに鉄筋４の一部を挿入することで鉄筋４に係止される。
【００３４】
本実施形態の係止溝２６ａは、断面矩形に形成されているが、係止溝２６ａの形状は限定されない。また、係止溝２６ａは必要に応じて形成すればよく、係止溝２６ａは必ずしも形成されている必要はない。
【００３５】
係止溝２６ａの中心線から係止部２６の先端（治具本体２０のコンクリート表面側の先端）までの距離は、鉄筋４の半径よりも小さくなっている。そのため、鉄筋４の係止部２６を係止させると、鉄筋４の中心と当該鉄筋４のコンクリート表面側の外面との間の位置に、係止部２６の先端が配置される。
【００３６】
凹部２５の係止部２６と対向する部分（凹部２５の横板２３側の辺）は、先端に向かうに従って係止部２６との間隔が大きくなるように傾斜している。つまり、凹部２５は、開口部の間隔が底部の間隔よりも大きくなっており、鉄筋４が挿入しやすくなっている。なお、凹部２５の形状は限定されるものではない。係止部２６は、スペーサー本体３１（つば部３４）の基端面よりもコンクリート表面側に突出しない。
【００３７】
横板２３は、図３に示すように、一対の側板２２，２２の一方の端部（図３においては下部）同士をつないでいて、鉄筋４と平行に配置されている。
また、横板２３は、図２に示すように、コンクリート表面側に向かうに従って、スペーサー３から離れるように、スペーサー３の軸芯に対してわずかに傾斜している。すなわち、横板２３の板面の法線は、出代調整ボルト３３の中心線を法線とする平面に対して傾斜している。なお、横板２３の傾斜角は限定されるものではない。
【００３８】
横板２３には、固定ボルト２１を螺合するためのボルト孔２７が形成されている。
ボルト孔２７は、ボルト孔２７に螺合された固定ボルト２１の中心軸の延長線が、鉄筋４の中心軸と交差するように形成されている。出代調整ボルト３３の中心と固定ボルト２１の中心軸の延長線との交差角は９０°より小さい。
ボルト孔２７の形状（内径）は、固定ボルト２１の規格に応じて適宜設定すればよい。
【００３９】
縦板２４は、図２に示すように、一対の側板２２，２２の背面（コンクリート表面と反対側の面）において、鉄筋４の軸芯と平行となるように横架されている。
本実施形態では、凹部２５よりも他端側（横板２３と反対側）のみに縦板２４が形成されている。なお、縦板２４を形成する範囲は、限定されるものではなく、例えば、側板２２の全長（全高）にわたって形成してもよい。
【００４０】
本実施形態では、一方の側板２２から延設された板片を、他方の側板２２に向けて折り曲げることにより、縦板２４を形成しているが、縦板２４の形成方法は限定されない。
なお、他方の側板２２には縦板２４を係止するための爪２２ｂが形成されていて、縦板２４の端部は、他方の側板２２の爪２２ｂにより把持されている。
【００４１】
縦板２４には、スペーサー３の出代調整ボルト３３を螺合するための雌ネジ部２８が形成されている。
雌ネジ部２８の形状（内径）は、出代調整ボルト３３の規格に応じて適宜設定すればよい。
【００４２】
雌ネジ部２８の中心軸の延長線から鉄筋４の中心軸までの距離は、ボルト受け部３２の半径と鉄筋４の半径との合計よりも大きくなっている。
【００４３】
固定ボルト２１は、ボルト孔２７に挿通され、凹部２５に配設された鉄筋４に係止部２６の反対側から当接する。つまり、固定ボルト２１と係止部２６は、鉄筋４を把持する把持部２９を構成している。
【００４４】
スペーサー構造１を使用する際には、まず、凹部２５内に鉄筋４を配設した状態で固定ボルト２１を締め付けて、治具本体２０を鉄筋４に固定する。
次に、スペーサー３（出代調整ボルト３３）の軸芯まわりにスペーサー３を回転させることでスペーサー３の出代を調整する。
【００４５】
本実施形態のスペーサー構造１によれば、出代調整ボルト３３によりスペーサー３の出代の調整が可能なため、鉄筋４の組み立て誤差が生じた場合であっても、スペーサー３を型枠に当接させることができる。また、スペーサー３が突出しすぎていることにより、型枠が損傷することも防止できる。
【００４６】
また、スペーサー本体３１の高さが設計コンクリート被り厚さと同一であるため、鉄筋４のコンクリート表面側にスペーサー本体３１を位置させるだけで必要なコンクリート被り厚さを確保することができる。すなわち、スペーサー本体３１がコンクリート被り厚さを確保するための定規として機能する。
また、スペーサー本体と鉄筋との位置関係により必要なコンクリート被り厚さを確保していることを確認できるため、検査や調整が容易である。
【００４７】
また、スペーサー本体３１内には、金物が存在しないため、コンクリート被り内に異物が存在することもなく、したがって、コンクリート構造物の品質を高めることが可能である。
【００４８】
スペーサー本体３１には、鉄筋４のコンクリート表面側の外面に当接可能なつば部３４が形成されているため、つば部３４を鉄筋４に当接させるのみで、所定のコンクリート被り厚さ（設計コンクリート被り厚さ）を確保することができる。したがって、作業性に優れている。
【００４９】
固定治具２は、鉄筋４に固定した状態で、端部が鉄筋４の中心と当該鉄筋４のコンクリート表面側の外面との間に位置するように形成されているため、コンクリート被り内に固定治具２（金物）が入り込むことがなく（固定治具２の全体が鉄筋４よりも型枠側に突出することがなく）、したがって、コンクリート構造物の品質を高めることが可能である。
【００５０】
把持部２９を介して固定治具２を鉄筋に確実に固定するため、スペーサー３の傾き、回転、脱落が防止され、所定のコンクリート被り厚さを確実に確保することができる。
また、横板２３が傾斜しているため、横板２３に螺合された固定ボルト２１の頭部がコンクリート被り内に入り込むことも防止されている。
【００５１】
ボルト受け部３２は、一対の側板２２，２２の間に納まるため、ボルト受け部３２と固定治具２が接触することはなく、したがって、スペーサー３の出代調整が固定治具２によって阻害されることもない。
【００５２】
＜第二の実施形態＞
第二の実施形態に係るスペーサー構造５は、図５の（ａ）および（ｂ）に示すように、鉄筋４に固定された固定治具６と、固定治具６に取り付けられたスペーサー３とを備えている。
第二の実施形態に係るスペーサー３の詳細は、第一の実施形態で示したスペーサー３と同様なため、詳細な説明は省略する。
【００５３】
本実施形態では、スペーサー３の軸受部３２の基端面が、コンクリート被り部分に入らないようにスペーサー３を設置する。つまり、軸受部３２の基端面が、鉄筋４よりもコンクリート表面側の先端よりも内側となるようにスペーサー３を配置する。
【００５４】
固定治具６は、スペーサー３を鉄筋４に固定するための治具である。
固定治具６は、縦筋４１と横筋４２の交差部に固定されている。
【００５５】
固定治具６は、図６の（ａ）および（ｂ）に示すように、治具本体６０を主体に形成されている。
治具本体６０は、コ字状の鋼板からなる。治具本体６０の角部（図６の（ａ）において右下の角部）には、雌ネジ部６１が形成されている。なお、治具本体６０を構成する材料も限定されない。
【００５６】
雌ネジ部６１には、スペーサー３の出代調整ボルト３３を螺着する。
雌ネジ部６１の形状（内径）は、出代調整ボルト３３の規格に応じて適宜設定すればよい。
【００５７】
雌ネジ部６１は、治具本体６０を取り付ける鉄筋４（横筋４２）と交差する鉄筋４（縦筋４１）の中心軸と、雌ネジ部６１に螺合された出代調整ボルト３３の中心軸との距離が、スペーサー３のつば部３４の半径よりも小さくなる位置に形成する。
【００５８】
治具本体６０には、一の辺（図６の（ａ）において上側の辺）において開口する凹部６２が形成されている。
【００５９】
凹部６２は、鉄筋４の鉄筋径よりも大きな幅と、鉄筋径よりも大きな深さを有している。本実施形態の凹部６２は矩形状に形成されているが、凹部６２の形状は限定されるものではなく、例えば、円弧状であってもよい。
【００６０】
また、治具本体６０の一の辺には爪部６３，６３が形成されている。爪部６３は、治具本体６０の一辺（図６の（ａ）において上辺）からコンクリート表面に向かって貼り出している。
爪部６３は、治具本体６０の端部を折り曲げることにより形成されている。
なお、爪部６３の形成方法は限定されるものではない。また、爪部６３の形状は、鉄筋４の鉄筋径よりも小さい高さであれば、限定されない。
【００６１】
治具本体６０の背面（図６の（ｂ）において下面）には、把持部材６４が形成されている。治具本体６０は、把持部材６４により鉄筋４を把持することで、鉄筋４に取り付けられる。
把持部材６４は、コンクリート被りの基準となる鉄筋４（本実施形態では縦筋４１）と交差する鉄筋４（本実施形態では横筋４２）を把持する。
【００６２】
本実施形態では、把持部材６４として、板ばねをＣ字状に折り曲げることにより形成された、いわゆる板ばね鋼クリップを使用する。なお、把持部材６４の構成は限定されない。
【００６３】
本実施形態では、リベット６５により把持部材６４を治具本体６０に固定している。把持部材６４は、対向する二片が治具本体６０の背面から突出するように治具本体６０に固定されている。
なお、把持部材６４の治具本体６０への固定方法は限定されるものではない。例えば、溶接やボルト等により固定してもよい。
【００６４】
対向する二片の離隔距離は、最も大きい位置では鉄筋４の鉄筋径以上となっており、同離隔距離が最も小さい位置では鉄筋４の鉄筋径以下となるように形成されている。
把持部材６４の中間部はくびれており、把持部材６４の端部（対向する二片の先端）は、先端に向かうに従って離れるように拡幅されている。
【００６５】
治具本体６０は、図６の（ｂ）に示すように、取り付ける鉄筋４の軸方向に沿って、中央部が側部よりも表面側に盛り上がっている。把持部材６４は、この中央部に固定されている。
なお、治具本体６０は、必ずしも中央部が盛り上がっている必要はない。
【００６６】
固定治具６は、図５に示すように、内側（コンクリート表面と反対側）に配設された鉄筋（本実施形態では横筋４２）に把持部材６４を嵌め込むとともに、爪部６３，６３を表面側に配設された鉄筋（コンクリート被りの基準となる縦筋４１）に係止することにより鉄筋４に固定する。
このとき、縦筋４１は、爪部６３，６３と雌ネジ部６１の間に位置している。
【００６７】
固定治具６を鉄筋４に固定する際には、まず、把持部材６４により把持する鉄筋４（横筋４２）を凹部６２に挿入することで、治具本体６０を横筋４２と交差させる。このとき、治具本体６０は、横筋４２の表面側と縦筋４１の背面側に配設される。
【００６８】
次に、治具本体６０が横筋４２と平行となるように、縦筋４１を軸に治具本体６０を回転させると、把持部材６４が横筋４２に嵌め込まれるとともに、爪部６３，６３が縦筋４１に係止される。
【００６９】
本実施形態のスペーサー構造１によれば、把持部材６４に鉄筋４を嵌め込むだけで、固定治具６の設置が完了するため、作業性に優れている。
【００７０】
治具本体２０は、横筋４２に取り付けられているとともに縦筋４１に係止されているため、位置のずれ、回転および脱落が防止される。そのため、スペーサー３の傾き、回転、脱落が防止され、所定のコンクリート被り厚さを確実に確保することができる。
【００７１】
治具本体６０は、内側の鉄筋４（横筋４２）に沿って配設されているため、固定治具６が鉄筋４よりもコンクリート表面側に突出することはない。
また、爪部５３の高さは、縦筋４１の鉄筋径よりも小さいため、爪部５３が鉄筋４よりもコンクリート表面側に突出することもない。
【００７２】
ボルト受け部３２の基端面がコンクリート被り部分に入らないようにスペーサー３を配置しているため、金属（出代調整ボルト３３）が直接コンクリート被り部分に入るこむことがない。すなわち、セメント系材料により形成されたボルト受け部３２により出代調整ボルト３３が覆われているため、出代調整ボルトがコンクリート被り部分において露出しない。そのため、高品質な構造物を構築することができる。
【００７３】
この他の第二の実施形態に係るスペーサー構造６の作用効果は、第一の実施形態で示したスペーサー構造１と同様なため、詳細な説明は省略する。
【００７４】
以上、本発明に係る実施形態について説明した。しかし、本発明は、前述の実施形態に限られず、前記の各構成要素については、本発明の趣旨を逸脱しない範囲で、適宜変更が可能である。
【００７５】
前記各実施形態では、スペーサー構造を利用してコンクリート被り厚さを確保する場合について説明したが、スペーサー構造は、スラブ高さ出し（天端出し）に使用してもよい。
【００７６】
スペーサーとして着色されたものを使用してもよい。スペーサーに着色しておけば、スペーサーを視認しやすくなる。
そのため、着色されたスペーサーを所定の位置に設置することで、他のスペーサーをこの着色されたスペーサーを基準に設置することで、作業効率を向上させることができる。
【００７７】
前記各実施形態では、スペーサーがつば部を備えている場合について説明したが、つば部は必ずしも形成されている必要はない。
【００７８】
前記各実施形態では、スペーサー本体および軸受部がセメント系材料により形成されている場合について説明したが、スペーサー本体及び軸受部は、非金属系材料であれば限定されない。
【００７９】
前記各実施形態では、スペーサー本体が設計コンクリート被り厚さと同一の高さである場合について説明したが、スペーサー本体の高さは、必ずしも設計コンクリート被り厚さと同一である必要はない。スペーサーは、スペーサー本体の先端から軸受部の基端面までの高さが設計コンクリート被り厚さ以上（鉄筋と型枠との間の最小間隔以上）であればよい。
【００８０】
スペーサーが固定治具の雌ネジ部に螺合されている場合について説明したが、スペーサーはナットを介して固定治具に固定してもよい。
【符号の説明】
【００８１】
１    スペーサー構造
２    固定治具
２０  治具本体
２１  固定ボルト
２５  凹部
２６  係止部
２８  雌ネジ部
２９  把持部
３    スペーサー
３１  スペーサー本体
３２  ボルト受け部
３３  出代調整ボルト
３４  つば部
４    鉄筋
４１  縦筋
４２  横筋
６    固定治具
６０  治具本体
６１  雌ネジ部
【図１】
2015200111.tif 000003
【図２】
2015200111.tif 000004
【図３】
2015200111.tif 000005
【図４】
2015200111.tif 000006
【図５】
2015200111.tif 000007
【図６】
2015200111.tif 000008